(57)【要約】  スティック状化粧料の外観品質の確保や成型性向上のみならず、使用前のバージン性を付与可能なスティック状化粧料用キャップの提供を目的とし、天面と、該天面から略垂下された周壁を有し、スティック状化粧料のスリーブ先端もしくは保持筒に冠着可能に形成されたキャップであって、周壁の一部が周壁の周方向の連続性を周壁下端から所定の高さまで一定の幅で分断するように他の周壁から切り離されており、あるいは切り離し可能に形成されていることを特徴とするスティック状化粧料用キャップを提供する。
2013191156.tif 000002
【特許請求の範囲】
【請求項１】
天面と、該天面から略垂下された周壁を有し、スティック状化粧料のスリーブ先端もしくは保持筒に冠着可能に形成されたキャップであって、周壁の一部が周壁の周方向の連続性を周壁下端から所定の高さまで一定の幅で分断するように他の周壁から切り離されており、あるいは切り離し可能に形成されていることを特徴とするスティック状化粧料用キャップ。
【請求項２】
スティック状化粧料用容器のスリーブ先端の開口を封止する天面と、該天面から略垂下された周壁を有し、スリーブ先端に冠着可能に形成されたキャップであって、該周壁の一部には易破断部により他の周壁から切り離し可能に形成された装着解除片を設け、該装着解除片を、その上端を残して他の周壁から切り離すことにより、周壁の円周方向の連続性を分断する切り欠きが形成されることを特徴とする請求項１に記載のスティック状化粧料用キャップ。
【請求項３】
スティック状化粧料の保持筒に装着可能に形成されたスティック状化粧料用のキャップであって、天面と、該天面から略垂下された周壁を有し、該周壁の一部には易破断部により他の周壁から切り離し可能に形成された装着解除片を設け、該装着解除片を、その上端を残して他の周壁から切り離すことにより、周壁の円周方向の連続性を分断する切り欠きが形成されることを特徴とする請求項１に記載のスティック状化粧料用キャップ。
【請求項４】
前記装着解除片の下部からはつまみ部が延設されていることを特徴とする請求項２または請求項３のいずれかに記載のスティック状化粧料用キャップ。
【請求項５】
前記易破断部は前記周壁および前記解除部に比べ肉厚が薄く形成されていることを特徴とする請求項２ないし請求項４のいずれか１項に記載のスティック状化粧料用キャップ。
【請求項６】
前記易破断部はミシン目が形成されていることを特徴とする請求項２ないし請求項５のいずれか１項に記載のスティック状化粧料用キャップ。
【請求項７】
スティック状化粧料用容器のスリーブ先端の開口を封止する天面と、該天面から略垂下された周壁を有し、スリーブ先端に冠着可能に形成されたキャップであって、周壁の一部が周壁の周方向の連続性を周壁下端から所定の高さまで一定の幅で分断するようにその上端を残して他の周壁から切り離されており、その切り離された周壁の一部がつまみ部を形成する請求項１に記載のスティック状化粧料用キャップ。
【請求項８】
前記装着解除片は、正面からずれた位置に設けられていることを特徴とする請求項２ないし請求項７のいずれか１項に記載のスティック状化粧料用キャップ。
【請求項９】
前記天面の内側には環状凸部が形成されていることを特徴とする請求項１、請求項２または請求項７のいずれか１項に記載のスティック状化粧料用キャップ。
【請求項１０】
前記周壁の正面側の一部が、他の周壁よりも短く形成されていることを特徴とする請求項１ないし請求項９のいずれか１項に記載のスティック状化粧料用キャップ。
【請求項１１】
可撓性樹脂素材により形成されていることを特徴とする請求項１ないし請求項１０のいずれか１項に記載のスティック状化粧料用キャップ。
【発明の詳細な説明】
【技術分野】
【０００１】
本発明は、スティック状化粧料用キャップに関し、更に詳細には、口紅等のスティック状化粧料を製造するに当たり、溶融された化粧料を化粧料容器中または化粧料の保持筒に充填するのに先立って、当該化粧料を成型するためにスティック化粧料容器のスリーブの先端、またはスティック状化粧料の保持筒に装着され、化粧料の使用時に取り除かれるスティック状化粧料用キャップに関する。
【背景技術】
【０００２】
スティック状化粧料は、その簡便性、携帯性等から、口紅を始めとした種々の化粧料として使用されている。この種の化粧料の調製方法として、化粧料容器を構成するスリーブ（その内部に加熱溶融状態の化粧料を充填し、固化してスティック状となった化粧料が内部を上下動して、その先端開口から出没する、筒状体）の先端に製造用キャップを装着した後、当該スリーブの後端から溶融された化粧料を充填して一体固化させたり、化粧料の保持筒に成型用のキャップを装着し、当該保持筒の後端から溶融された化粧料を充填し固化させて、化粧料容器に装着することが一般的に行われている（特許文献１、２、３）。【０００３】
しかしながら、これら従来の製造用キャップは、あくまでも溶融状態の化粧料の成型時にのみ使用されるものであり、一旦、化粧料が固化・成型された後、次の製造工程においてスリーブや保持筒から取り除かれるため、使用者にとってバージン性（衛生状態、未使用の担保）を付与する役割を果たすものではなかった。【０００４】
すなわち、既存のスティック状化粧料の場合、バージン性をティアテープ包装や外装箱にて提供しているが、製造方法上、製品表面を外気にさらさない状態でパッケージすることは困難であった。一方、前記スティック状化粧料の製造用キャップを製造後に取り除かず、そのままパッケージに使用すれば製品表面を外気にさらさずバージン性を確保できるが、一般に、スティック状化粧料の製造用キャップは製造工程中で外れることがないように、また、化粧料の外観品質確保のために、前記スリーブの先端にしっかりと装着されている。従って、使用者がこのキャップを取り除くのは容易でなく、無理に取り除こうとすると、化粧料とキャップ内壁との付着面がきれいに離れず、付着部分の化粧料が破損するなど、化粧料の表面を傷つける場合があることから、仮にそのようなパッケージによるバージン機構を設けたとしても、使用者がかかるバージン機構を、化粧料の表面を傷つけずに容易に取り除くことは困難であった。【０００５】
【特許文献１】特許第３６８９７６２号
【特許文献２】特許第３７８５４８９号
【特許文献３】実公平６−２３号
【発明の概要】
【発明が解決しようとする課題】
【０００６】
そこで本発明は、従来のスティック状化粧料用キャップのかかる欠点を克服し、スティック状化粧料の外観品質の確保や良好な成型性の確保のみならず、使用前のバージン性を付与でき、さらに使用者が容易に取り除くことが可能なスティック状化粧料用キャップの提供をその課題とするものである。
【課題を解決するための手段】
【０００７】
本発明は、上記課題を解決するものであり、天面と、該天面から略垂下された周壁を有し、スティック状化粧料のスリーブ先端もしくは保持筒に冠着可能に形成されたキャップであって、周壁の一部が周壁の周方向の連続性を周壁下端から所定の高さまで一定の幅で分断するように他の周壁から切り離されており、あるいは切り離し可能に形成されていることを特徴とするスティック状化粧料用キャップである。【０００８】
また、本発明は、スティック状化粧料用容器のスリーブ先端の開口を封止する天面と、該天面から略垂下された周壁を有し、スリーブ先端に冠着可能に形成されたキャップであって、該周壁の一部には易破断部により他の周壁から切り離し可能に形成された装着解除片を設け、該装着解除片を、その上端を残して他の周壁から切り離すことにより、周壁の円周方向の連続性を分断する切り欠きが形成されることを特徴とするスティック状化粧料用キャップである。【０００９】
また、本発明は、スティック状化粧料の保持筒に装着可能に形成されたスティック状化粧料用のキャップであって、天面と、該天面から略垂下された周壁を有し、該周壁の一部には易破断部により他の周壁から切り離し可能に形成された装着解除片を設け、該装着解除片を、その上端を残して他の周壁から切り離すことにより、周壁の円周方向の連続性を分断する切り欠きが形成されることを特徴とするスティック状化粧料用キャップである。【００１０】
さらに、本発明は、スティック状化粧料用容器のスリーブ先端の開口を封止する天面と、該天面から略垂下された周壁を有し、スリーブ先端に冠着可能に形成されたキャップであって、周壁の一部が周壁の周方向の連続性を周壁下端から所定の高さまで一定の幅で分断するようにその上端を残して他の周壁から切り離されており、その切り離された周壁の一部がつまみ部を形成するスティック状化粧料用キャップである。
【発明の効果】
【００１１】
本発明にかかるスティック状化粧料用キャップは、周壁に形成されたスリットおよび易破断部により、または、易破断部あるいはスリットのいずれかによって、周壁の一部がその上端を残して他の周壁から一定の幅で切り離され、あるいは切り離し可能に形成されている。かかる周壁の一部を上部に引き上げることによって、または、周壁の一部を上に引き上げて易破断部を切り離すことによって、キャップの周壁が変形しやすくなる。キャップの少なくとも一部が変形すれば、スリーブと周壁の接触面積は減り、キャップがスリーブから外れやすくなるので、化粧料の表面を傷つけることなく容易にキャップを取り外すことができる。これにより、従来のようにキャップをスティック状化粧料の成型時に使用するのみでなく、スリーブや保持筒に装着した状態でそのまま出荷して使用者がキャップを使用時に取り外すことができ、製品にバージン性を付与することができる。
【図面の簡単な説明】
【００１２】
【図１】本発明のスティック状化粧料用キャップの正面図
【図２】本発明のスティック状化粧料用キャップの側面図
【図３】本発明のスティック状化粧料用キャップの天面図
【図４】本発明のスティック状化粧料用キャップの底面図
【図５】本発明のスティック状化粧料用キャップをスリーブに装着した状態の断面図
【図６】本発明のスティック状化粧料用キャップの一部拡大断面図
【図７】本発明のスティック状化粧料用キャップの第二の実施態様の正面図
【図８】第二の実施態様のスティック状化粧料用キャップをスリーブに装着した状態の断面図
【図９】第三の実施態様のスティック状化粧料用キャップの斜視図
【図１０】第三の実施態様のスティック状化粧料用キャップを保持筒に装着した状態の断面図
【図１１】第四の実施態様のスティック状化粧料用キャップの正面図
【図１２】第四の実施態様のスティック状化粧料用キャップの側面図
【図１３】第四の実施態様のスティック状化粧料用キャップの背面図
【図１４】本発明の更に異なる実施態様のスティック状化粧料用キャップの正面図
【発明を実施するための形態】
【００１３】
以下、本発明のスティック状化粧料用キャップの実施態様を、図面に基づいて具体的に説明する。なお、本発明はこれら実施態様に何ら制約されるものではない。
【００１４】
図１は本発明のスティック状化粧料用キャップの正面図、図２は同側面図、図３は同天面図、図４は同底面図である。図中、１はスティック状化粧料用キャップ、１１は天面、１２は周壁、１３は装着解除片、１４は易破断部、１５はつまみ部、１６はスリット、１７は開口部をそれぞれ示す。
【００１５】
図１ないし図４に示すように、本発明のスティック状化粧料用キャップ１は、スリーブ先端の開口を封止する天面１１と、天面１１の周縁から略垂下する周壁１２により構成され、スティック状化粧料用容器のスリーブ先端に冠着可能に形成されている。そして、本実施態様では、斜めに形成されたスリーブ先端の開口の形状に合わせて、天面１１が前方へ傾斜して形成されている。かかるスティック状化粧料用キャップ１は、周壁１２の内周面とスリーブの外周面とが互いに密着することによる面接触で、スリーブに対し固定される。  
【００１６】
周壁１２はスリーブ先端形状に合わせて周方向に連続して形成されているが、その一部には、周壁１２を一定の幅で切り離し可能に形成された装着解除片１３が形成されている。本実施態様において、装着解除片１３は鉛直方向に延伸し、その上端が周壁１２の上端と同様、天面１１と接続しており、その下端は周壁１２の途中で水平に形成されている。さらに、その両側は易破断部１４によって、他の周壁１２より区画されている。易破断部１４は、周壁１２および装着解除片１３よりも肉厚が薄くなるよう、壁面の一部が平面視で略Ｖ字形の溝状に切り欠かれており、かかる部分において、装着解除片１３を、その上端で天面１１と接続させたまま、周壁１２から切り離すことが可能となっている。なお、本実施態様では、装着解除片１３と周壁１２は薄肉に形成された易破断部１４により切り離し可能に形成されているが、両者を切り離し可能に形成できればこれに限らず、例えば、切り離し可能なミシン目を易破断部１４として設けても良い。なお、本実施態様では、装着解除片１３の上端は周壁１２の上端と一致しているが、必ずしも、周壁１２の上端に至るまで装着解除片１３を設ける必要はなく、装着解除片１３が周壁１２の周方向の連続性を所定の高さまで分断すればよい。すなわち、周壁１２の上端と装着解除片１３の上端との間に分断されない部分があってもよいが、その部分の長さは周壁１２の高さの寸法に対し３０％以下であることが好ましく、２０％以下がより好ましい。
【００１７】
装着解除片１３の下端からは、下方へつまみ部１５が延設している。このつまみ部１５は、装着解除片１３とは接続部１５１において連接しているが、その左右の周壁１２との間にはスリット１６が形成されているため、接続部１５１以外は周壁１２からは切り離されている。そして、つまみ部１５の下部は周壁１２の下端よりも下方に突出するように形成されており、さらに、つまみ部１５の接続部１５１から下端にかけて徐々にスリーブから離間するように形成されているため、スティック状化粧料用キャップ１をスリーブに装着している時でもスリーブとの間に隙間が生じ、容易につまみ部１５を保持することができる。なお、スリット１６において、つまみ部１５は必ずしも図に示すように左右の周壁１２から離間している必要はなく、つまみ部１５が左右の周壁１２と非連続に形成されてその独立性が確保できればよく、例えば、スリット１６を線状の切り込みとしてつまみ部１５と左右の周壁１２が接触していても良い。
【００１８】
本実施態様において、装着解除片１３とつまみ部１５は、正面から見てやや右側にずれた位置に設けられている。すなわち、図３において、スティック状化粧料用キャップ１の真正面の位置は、中心から見て真下に当たる６時の方向になり、これは傾斜した天面１１が一番低くなる位置であるが、図に示すように、装着解除片１３とつまみ部１５は、それよりも右にずれた３時と６時の中間地点に形成されている。このように、装着解除片１３とつまみ部１５の位置を正面からやや右側にずれた位置に設けたのは、後述するスティック状化粧料用キャップ１の取り外し方法において、より取り外し易くするためである。なお、正面からずらす方向は、本実施態様のように右側のみならず、正面から見て左側としても良いが、使用者の多くが右利きであることが想定されるため、右手でより保持しやすい右側へずらすことが好ましい。また、本実施態様とは異なり、スリーブ先端が水平に形成されている場合は、どの位置に設けても取り外し易さに影響はないため、任意の位置に設ければよい。なお、本実施態様では、装着解除片１３とつまみ部１５は鉛直方向に形成されているが、必ずしも鉛直方向に限らず、斜め方向に傾斜して形成してもよい。
【００１９】
図５は、本発明のスティック状化粧料用キャップ１をスリーブ２の先端に装着した状態の断面図である。図のように、スティック状化粧料用キャップ１をスリーブ２の先端に装着することにより、スリーブ２の先端開口を天面１１により完全に封止することができる。なお、図６の拡大断面図に示すように、天面１１の内側には、環状凸部１１１を形成することが好ましい。この環状凸部１１１は、スリーブ２の開口内寸に合わせて形成されており、スティック状化粧料用キャップ１の装着時に、この環状凸部１１１と周壁１２との間の空間１１２内にスリーブ２の先端が挿入される。かかる環状凸部１１１がない場合、スリーブ２の先端と天面１１の接触面のわずかな隙間に溶融状体の化粧料が入り込んで、冷却固化されたときにバリとなって残るおそれがある。また、このように隙間に入り込んだ化粧料により、冷却・固化時の体積収縮に伴うスリーブ内への空気流入が妨げられて、結果として、スリーブからの化粧料の離型性が不十分となり、成形不良が生じやすい。そこで、本実施態様のように、環状凸部１１１を設けることにより、スリーブ２の先端と天面１１の隙間に化粧料が入り込むことを防ぐことができ、その結果、バリの形成や成形不良を防ぐことが可能となる。
【００２０】
次に、本発明のスティック状化粧料用キャップ１の使用方法について説明する。まず、スリーブ内に化粧料を充填するに先立ち、スリーブ先端にスティック状化粧料用キャップ１を冠着する。そして、化粧料容器を倒立させ、その後部からスリーブ内へ溶融状体の化粧料を充填し、そのままの状態で化粧料を冷却・固化させる。化粧料の冷却・固化後は、スティック状化粧料用キャップ１を取り外すことなく、そのまま包装して出荷する。そして、使用者が製品を開封し、使用時になって初めて、スティック状化粧料用キャップ１を取り外す。
【００２１】
スティック状化粧料用キャップ１を取り外し方法は以下の通りである。まず、つまみ部１５の下部を指で保持する。次に、つまみ部１５の下部を徐々に捲り上げるように引き上げていくと、それに伴い、易破断部１４の下方から装着解除片１３を周壁１２から引き離す方向に力が加わる。さらに、つまみ部１５を上方に引き上げようとすると、易破断部１４の下端に応力が集中し、かかる部分から破断が開始する。そのままつまみ部１５を上方に引き上げると、易破断部１４の破断がさらに上方へと進み、最後に、天面１１との接続部分を残して、装着解除片１３は左右の周壁１２から完全に分離切断される。
【００２２】
周壁１２は、装着解除片１３が完全に分離切断したことによって、装着解除片１３とつまみ部１５が形成されていた箇所に一定の幅の帯状の切り欠きが形成される。このため、かかる部分で周壁１２の周方向の連続性が分断され、周壁１２は外力により変形しやすくなる。このように、周壁１２が変形することにより周壁１２とスリーブ外周壁との接触面が減少し、スリーブ先端への嵌合力が低下する。そして、さらにつまみ部１５を上方に引き上げると、スティック状化粧料用キャップ１はスリーブ先端から外れ始めるが、本実施態様のように、装着解除片１３の位置を正面からややずれた位置に設けている場合、スティック状化粧料用キャップ１には上方に引き上げられる力に加えて、さらに、回転方向への力（本実施態様では、左回りに捻れる力）がはたらく。そのため、スリーブ先端からスティック状化粧料用キャップ１が外れる動作が、天面１１の周縁から徐々に（本実施態様では、天面１１の右側から徐々に左回りに）なされることとなり、たとえスティック状化粧料用キャップ１の天面１１にスティック状化粧料が付着している部分があったとしても、剥れなどによりスティック状化粧料の表面を傷つけることが少なく、より容易にスリーブ先端からスティック状化粧料用キャップ１を取り外すことが可能となる。なお、装着解除片１３の左右両側にある易破断部１４の薄肉の程度を、右側と左側で異なるものとしても良い。例えば、左側の易破断部１４の薄肉を右側より薄くすることにより、左側の易破断部１４から破断が始まるように設計することが可能であり、使用者がいつも同じ動作でスティック状化粧料用キャップ１を取り外すことができるため、取り外し時の不測の事態を防ぐことができる。
【００２３】
本実施態様において、スティック状化粧料用キャップ１の材料としては、本発明の効果を得られる材料であれば特に限定されるものではなく、例えば低密度ポリエチレン、直鎖低密度ポリエチレン、中密度ポリエチレン・低密度ポリエチレン、高密度ポリエチレン・中密度ポリエチレン・低密度ポリエチレン、高密度ポリエチレン、ポリプロピレン、シリコーンゴム、フルオロシリコーンゴム、アクリロニトリル・ブタジエン・スチレン樹脂、アクリロニトリル・スチレン樹脂、これらを含むエラストマー、ポリエステル系熱可塑性エラストマー、さらにこれらの混合物等を挙げることができるが、つまみ部１５を指で保持し上方に引き上げて、易破断部１４を破断させることから、比較的柔軟な可撓性樹脂素材が好ましく、特に低密度ポリエチレン、直鎖低密度ポリエチレン、ポリエステル系熱可塑性エラストマーが好ましい。これらの素材を用いて、例えば射出成型、真空成型等の方法により製造することができる。
【００２４】
図７は本発明のスティック状化粧料用キャップの第二の実施態様を示したものである。この態様においては、スティック状化粧料用キャップ１は可撓性樹脂素材からなる薄肉のフィルムにより形成され、同じく樹脂素材により形成されたスリーブ２の先端に装着される。このスティック状化粧料用キャップ１は薄肉の樹脂フィルム製であるため、変形し易くスリーブ２から抜け易いので、周壁１２の下側に係合凹部１８を設け、これを容器のスリーブ２外周に設けられた環状凹溝１９に係合させて、図８に示すように嵌合装着してもよい。易破断部１４はミシン目により形成されており、つまみ部１５の下部を上方に引き上げてミシン目を破断させ、上端にある天面１１との接続部分を残して、装着解除片１３を左右の周壁１２から分離させ、さらにつまみ部１５を上方に引き上げれば、スリーブ先端からスティック状化粧料用キャップ１を取り外すことができる。
【００２５】
本発明のスティック状化粧料用キャップの第二の実施態様において、スティック状化粧料用キャップ１を形成する可撓性樹脂フィルムの材料としては、例えばポリエチレン、ポリプロピレン、ポリエチレンテレフタレート、ポリエチレンナフタレート、ポリスチレン、ポリカーボネート、ポリアクリロニトリル、エチレン・酢酸ビニルコポリマー、エチレン・ビニルアルコールコポリマー、エチレン・メタクリル酸コポリマー、ナイロンやこれらの積層フィルム、また金属イオンを介在させたアイオノマーフィルム等を挙げることができる。これらの素材を用いて、素材に応じた適切な方法により、第二の実施態様のスティック状化粧料用キャップ１を形成することができる。例えば、この態様のキャップを真空成型により形成し、スリーブ２の先端に無理嵌合により装着してもよいし、また、上記素材のシュリンクフィルムをスリーブ２の先端にあてがい、シュリンク処理することによりキャップを形成してもよく、これらにミシン目等の易破断部１４を設ければ、スティック状化粧料用キャップ１として使用できる。
【００２６】
図９は本発明のスティック状化粧料用キャップの第三の実施態様を示したものである。この態様においては、スティック状粧料用キャップ１は第一の態様と同様の樹脂素材により射出成型等で形成され、図１０に示すようにスティック状化粧料の保持筒２０に装着される。その後、溶融された化粧料を保持筒２０の後端からキャップ１内および保持筒２０内に充填し固化させて、化粧料容器に装着する。装着後、スティック状化粧料は容器内に収納せずに、キャップ１を付けた状態で使用者に提供される。易破断部１４は、周壁１２および装着解除片１３よりも肉厚が薄くなるよう、壁面の一部が略Ｖ字形の溝状に切り欠かれており、かかる部分において、装着解除片１３を、その上端を残して周壁１２から切り離すことが可能となっている。
【００２７】
なお、本発明のスティック状化粧料用キャップ１において、天面１１は前述のいずれの実施態様においても傾斜した平面状に形成されているが、これに限定されず、傾斜のない平面状でも、曲面状でもよく、ダイヤモンドカットのような凹凸を有する多面形状など、立体面でもよい。また、化粧料の保持筒２０に装着する態様においては、天面１１は周壁１２から連続的に延設されて、全体として砲弾型の曲面を形成するような形状としてもよい。
【００２８】
さらに、本発明のスティック状化粧料用キャップ１において、周壁１２の断面形状はいずれの実施態様においても円形に形成されているが、これに限定されず、スリーブ２や保持筒２０の形状に合わせて、楕円形、四角形、多角形等、いずれの形状としてもよい。
【００２９】
図１１ないし図１３は、本発明のスティック状化粧料用キャップの第四の実施態様を示したものである。本態様においては、周壁１２は、正面側の一部においてその下端部１２１が水平に形成されている。このように、下端部１２１において正面側の周壁１２を他の周壁よりも短くすることで、当該部分のスリーブとの接触面積が減り、より正面側からの取り外しが容易となる。
【００３０】
本態様では、周壁１２の一部に装着解除片１３および易破断部１４は設けず、つまみ部１５のみ形成されている。つまみ部１５は、その下部が周壁１２の下端よりも下方に突出するように形成されており、上端は接続部１５１において周壁１２と連接している一方、その左右の周壁１２との間にはスリット１６が形成されて切り離されている。かかるスリット１６は、周壁１２の下端より所定の高さまで形成されており、その寸法は、スティック状化粧料製造時のスリーブへの装着安定性と、使用時のスリーブからの取り外しやすさとを両立させるために、好ましくは周壁１２の高さの２０％〜８０％であり、より好ましくは３０％〜７０％である。また、さらに、図１４に示すように、つまみ部１５の先端部をより保持しやすいように、円形その他の形状で、つまみ部１５の本体よりも広い幅となるように形成しても良い。
【００３１】
本実施態様のスティック状化粧料用キャップ１を取り外し方法は以下の通りである。まず、つまみ部１５の下部を指で保持する。次に、つまみ部１５の下部を徐々に捲り上げるように引き上げていく。そして、つまみ部１５が上方へ捲り上がった状態で更に引き上げると、接続部１５１に上方への応力が集中する。そして、つまみ部１５が形成されていた周壁部分は、一定の幅と高さを有する切り欠きとなっているため、接続部１５１に応力が集中することにより、かかる切り欠きが開く方向に周壁１２が変形する。このように周壁１２が変形することにより周壁１２とスリーブ外周壁との接触面が減少し、さらにつまみ部１５を引き上げることで、スリーブから取り外すことができる。
【００３２】
以上のとおり、本発明のスティック状化粧料用キャップ１は、周壁１２の一部が、スリット１６および易破断部１４によって（第１実施態様）、または、易破断部１４によって（第２、第３実施態様）、あるいは、スリット１６によって（第４実施態様）、その上端を残して他の周壁から切り離され、あるいは切り離し可能に形成されている。これにより、周壁１２の周方向の連続性が周壁下端から所定の高さまで一定の幅で分断され、スティック状化粧料用キャップ１の素材本来の可撓性を発揮させ、スリーブ外周壁との接触面を減らすことで、スリーブからの容易な取り外しを可能にしている。なお、周壁１２の周方向の連続性を分断する一定の幅については、連続性の分断が可能な幅であればその寸法は特に限定されるものではないが、製造用キャップとして機能し、かつ、スリーブや保持筒からのキャップの取り外しを容易にするためには、キャップ装着部分のスリーブや保持筒の直径に対し１０％〜８０％となる寸法が好ましく、より好ましくは２５％〜７０％、特に好ましくは４０％〜６０％である。限定されないが、例えば、直径が１２ｍｍのスリーブに装着する本発明のスティック状化粧料用キャップの場合、より好ましい分断の幅として３ｍｍ〜８．５ｍｍ程度、特に好ましい分断の幅として５ｍｍ〜７ｍｍ程度の寸法を挙げることができる。
【産業上の利用可能性】
【００３３】
本発明のスティック状化粧料用キャップは、周壁の一部を他の周壁から切り離して周方向の連続性を所定の高さまで分断することにより、化粧料の表面を傷つけることなく容易にキャップを取り外すことができるため、従来のように製造用キャップとしてスティック状化粧料の充填・成型時に使用するのみでなく、スリーブや保持筒に装着した状態でそのまま出荷して、使用者がキャップを使用時に取り外すことにより、製品にバージン性を付与することができる。特に、スティック状化粧料用容器のスリーブ先端に冠着するタイプのキャップは小さく設計することができ、使用者がよりキャップを取り外し易いこと、また、運搬時にスティック状化粧料がスリーブ内に収納されており、振動やショックによる破損の可能性が低いことから、本特許の効果をより効果的に享受することができ、好ましい。【００３４】
従って、本発明のスティック状化粧料用キャップは、口紅、リップクリーム、スティックタイプコンシーラー、皮膚美白用スティック、日焼け止めスティック等のスティック状化粧料において、極めて有利に利用することができるものである。
【符号の説明】
【００３５】
１  …  …  スティック状化粧料用キャップ
２  …  …  スリーブ
１１  …  …  天面
１２  …  …  周壁
１３  …  …  装着解除片
１４  …  …  易破断部
１５  …  …  つまみ部
１６  …  …  スリット
１７  …  …  開口部
１８  …  …  係合凹部
１９  …  …  環状凹溝
２０  …  …  保持筒
１１１  …  …  環状凸部
１１２  …  …  空間
１５１  …  …  接続部
【図１】
2013191156.tif 000003
【図２】
2013191156.tif 000004
【図３】
2013191156.tif 000005
【図４】
2013191156.tif 000006
【図５】
2013191156.tif 000007
【図６】
2013191156.tif 000008
【図７】
2013191156.tif 000009
【図８】
2013191156.tif 000010
【図９】
2013191156.tif 000011
【図１０】
2013191156.tif 000012
【図１１】
2013191156.tif 000013
【図１２】
2013191156.tif 000014
【図１３】
2013191156.tif 000015
【図１４】
2013191156.tif 000016
【国際調査報告】
2013191156.tif 000017
2013191156.tif 000018